(57)【要約】【課題】脚体のロック装置におけるロックを解除するための解除操作装置を備えた作業台を提供する。【解決手段】脚体を垂設させた開脚姿勢(P1)と天板の下側に格納させた閉脚姿勢(P2)の間で旋回自在に枢結した折畳み式作業台において、開脚姿勢とした脚体の回動板(13)に設けた開脚ロック孔(16)に対して、スプリング(17)により弾発付勢されたロッド(15)のロック部(15a)を挿入係止した位置をロック位置(L1)とし、開脚ロック孔(16)から退避させた位置をアンロック位置(L2)とするロック装置(11)と、該ロックを解除する解除操作装置(20)が設けられており、解除操作装置(20)は、天板の下側に位置して、ロッドに臨むペダル手段(21)を設け、該ペダル手段とロッドの相互に、天板の下面を上向きとした状態でペダル手段(21)を踏み込むことによりロッド(15)をスプリング(17)に抗してアンロック位置(L2)に移動させる連動駆動手段(32)を構成している。【選択図】図８
2020193472.tif 000002
【特許請求の範囲】
【請求項１】
天板の長手方向Ｘと短手方向Ｙに関し、長手方向Ｘの両端部の妻側縁部に位置して、脚体を下向きに垂設させた開脚姿勢(P1)と天板の下側に格納させた閉脚姿勢(P2)の間で旋回自在に枢結する枢結装置(10)を設けた折畳み式作業台において、前記脚体を開脚姿勢(P1)で旋回不能にロックするロック装置(11)と、該ロックを解除する解除操作装置(20)が設けられており、
前記枢結装置(10)は、天板の妻側縁部の両側に固着された一対の固定板(12)と、脚体に固着された一対の回動板(13)により構成され、それぞれ回動板を固定板に重ねた状態で回動自在に枢結しており、
前記ロック装置(11)は、天板の下側に位置して前記短手方向Ｙに向けて配置されると共にスプリング(17)により前記回動板に向けて軸方向に弾発付勢された少なくとも１本のロッド(15)と、開脚姿勢(P1)としたときロッドの軸線上に位置するように前記回動板(13)に設けられた開脚ロック孔(16)により構成され、
前記ロッドの軸方向移動に関して、ロッド先端のロック部(15a)が前記開脚ロック孔(16)に挿入係止した位置をロック位置(L1)とし、ロック部(15a)が前記開脚ロック孔(16)から退避した位置をアンロック位置(L2)とするように構成されており、
前記解除操作装置(20)は、天板の下側に位置して、前記ロッドに臨むペダル手段(21)を設け、該ペダル手段とロッドの相互に、天板の下面を上向きとした状態で前記ペダル手段(21)を踏み込むことによりロッド(15)をスプリング(17)に抗してアンロック位置(L2)に移動させる連動駆動手段(32)を構成して成ることを特徴とする折畳み式作業台におけるロック装置。
【請求項２】
天板の長手方向Ｘと短手方向Ｙに関し、長手方向Ｘの両端部の妻側縁部に位置して、脚体を下向きに垂設させた開脚姿勢(P1)と天板の下側に格納させた閉脚姿勢(P2)の間で旋回自在に枢結する枢結装置(10)を設けた折畳み式作業台において、前記脚体を開脚姿勢(P1)で旋回不能にロックするロック装置(11)と、該ロックを解除する解除操作装置(20)が設けられており、
前記枢結装置(10)は、天板の妻側縁部の両側に固着された一対の固定板(12)と、脚体に固着された一対の回動板(13)により構成され、それぞれ回動板を固定板に重ねた状態で回動自在に枢結しており、
前記ロック装置(11)は、天板の下側に位置して前記短手方向Ｙに直列配置されると共にスプリング(17)により前記回動板に向けて軸方向に弾発付勢された一対のロッド(15,15)と、開脚姿勢(P1)としたとき各ロッドの軸線上に位置するように前記回動板(13,13)に設けられた開脚ロック(16)孔により構成され、
前記ロッドの軸方向移動に関して、ロッド先端のロック部(15a)が前記開脚ロック孔(16)に挿入係止した位置をロック位置(L1)とし、ロック部(15a)が前記開脚ロック孔(16)から退避した位置をアンロック位置(L2)とするように構成されており、
前記解除操作装置(20)は、天板の下側に位置して、一対のロッドの対向端部(15c,15c)に跨るペダル手段(21)を設けており、該ペダル手段と一対のロッドの相互に、天板の下面を上向きとした状態で前記ペダル手段(21)を踏み込むことにより一対のロッド(15,15)をスプリング(17)に抗してアンロック位置(L2)に移動させる連動駆動手段(32)を構成して成ることを特徴とする折畳み式作業台におけるロック装置。
【請求項３】
天板は、高さＨとされた両側壁(6,6)を長手方向Ｘに延設し、両側壁の間で下面から突出する梁壁(8)を長手方向Ｘに延設して成る構成において、
前記ロック装置(11)を構成するロッド(15)は、天板の前記側壁(6)に挿通される本体軸部(15b)と、前記梁壁(8)に乗り上げる基軸部(15c)と、本体軸部と基軸部の間で傾斜させられた傾斜軸部(15d)を形成しており、
前記解除操作装置(20)は、前記梁壁(8)に固設される台座金具(22)と、該台座金具に枢着されるペダル手段(21)により構成され、
前記台座金具(22)は、ロッドの基軸部(15c)を軸方向移動自在に挿通させる支持ブラケット(24)と、前記支持ブラケットから天板の長手方向Ｘに隣接して配置された枢支ブラケット(25)を備え、
前記ペダル手段(21)は、前記枢支ブラケット(25)に回動自在に枢着された枢支片(29)と、該枢支片の回動により前記支持ブラケット(24)に対して進退移動する踏板(30)を備え、該踏板に前記ロッドの傾斜軸部(15d)に当接する駆動部(31)を設けており、
前記傾斜軸部(15d)と駆動部(31)により前記連動駆動手段(32)を構成し、ロッドがスプリングによりロック位置(L1)に移動したとき傾斜軸(15d)部が駆動部(31)を押動することにより踏板(30)を支持ブラケット(24)から離間させた待機位置(Q1)に保持させ、踏板(30)を支持ブラケット(24)に接支する作動位置(Q2)まで踏み込んだとき駆動部(31)が傾斜軸部(15d)を傾斜方向に押動することによりロッドをアンロック位置(L2)に移動させるように構成されて成ることを特徴とする請求項１又は２に記載の折畳み式作業台におけるロック装置。
【請求項４】
前記台座金具(22)は、両側部から天板の下面に当接する脚片部(26)を延設して成ることを特徴とする請求項３に記載の折畳み式作業台におけるロック装置。
【発明の詳細な説明】
【技術分野】
【０００１】
本発明は、天板の両端部に位置して、脚体を下向きに垂設させた開脚姿勢と天板の下側に格納させた閉脚姿勢の間で旋回自在に枢結して成る折畳み式作業台において、前記脚体を開脚姿勢で旋回不能にロックするためのロック装置に関する。
【背景技術】
【０００２】
従来、折畳み式作業台は、脚体を閉脚姿勢として格納することにより、運搬や保管に便利とするように構成されている。
【０００３】
ところが、脚体を開脚姿勢として作業台を作業のために使用するとき、脚体が閉脚姿勢に向けて不慮に旋回するおそれがあると、天板の傾きや転倒により、作業者の転落事故を招来する危険があるので、脚体を開脚姿勢の状態で旋回不能にロックするためのロック装置が提案されている。
【先行技術文献】
【特許文献】
【０００４】
【特許文献１】特許第３０３０２５３号公報
【特許文献２】特許第３５７４３９１号公報
【発明の概要】
【発明が解決しようとする課題】
【０００５】
従来、ロック装置は、脚体と一体的に回動する回動板に向けて、ロックピンをスプリングにより弾発付勢しており、脚体を閉脚姿勢から開脚姿勢に向けて旋回し、回動板の開脚ロック孔が前記ロックピンに臨まされたとき、ロックピンが自動的に開脚ロック孔に挿入係止されるように構成されている。
【０００６】
ところで、脚体を折畳む場合は、開脚姿勢におけるロック状態を解除した後、閉脚姿勢に向けて旋回する必要がある。しかしながら、手作業により、ロックピンをスプリングに抗して移動させ、開脚ロック孔から退避させるための作業は、必ずしも容易でなく、しかも、天板の下側でロックピンを操作することは煩雑である。特に、作業中に不慮にロックが解除される危険を防止するために強いスプリングが使用されている場合は、作業者に重労働を強いることになる。
【０００７】
本発明は、折畳み式作業台におけるロック装置に関して、ロックを解除する操作装置を提供するものであり、特に、脚体を折畳むためにロックを解除する場合、作業台を逆さまに設置し、つまり、天板の下面を上向きとして地面に設置させた状態で、作業者が足により踏みつけるだけで簡単容易にロック解除を可能とする装置の提供を課題としている。これにより、作業者は両手を自由に使用することができるので、足の踏みつけによりロックを解除するとき、これと同時に、両手を使用することにより脚体を容易に折畳むことが可能になる。
【課題を解決するための手段】
【０００８】
そこで、本発明が第１の手段として構成したところは、天板の長手方向Ｘと短手方向Ｙに関し、長手方向Ｘの両端部の妻側縁部に位置して、脚体を下向きに垂設させた開脚姿勢Ｐ１と天板の下側に格納させた閉脚姿勢Ｐ２の間で旋回自在に枢結する枢結装置を設けた折畳み式作業台において、前記脚体を開脚姿勢(P1)で旋回不能にロックするロック装置と、該ロックを解除する解除操作装置が設けられており、前記枢結装置は、天板の妻側縁部の両側に固着された一対の固定板と、脚体に固着された一対の回動板により構成され、それぞれ回動板を固定板に重ねた状態で回動自在に枢結しており、前記ロック装置は、天板の下側に位置して前記短手方向Ｙに向けて配置されると共にスプリングにより前記回動板に向けて軸方向に弾発付勢された少なくとも１本のロッドと、開脚姿勢Ｐ１としたときロッドの軸線上に位置するように前記回動板に設けられた開脚ロック孔により構成され、前記ロッドの軸方向移動に関して、ロッド先端のロック部が前記開脚ロック孔に挿入係止した位置をロック位置Ｌ１とし、ロック部が前記開脚ロック孔から退避した位置をアンロック位置Ｌ２とするように構成されており、前記解除操作装置は、天板の下側に位置して、前記ロッドに臨むペダル手段を設け、該ペダル手段とロッドの相互に、天板の下面を上向きとした状態で前記ペダル手段を踏み込むことによりロッドをスプリングに抗してアンロック位置Ｌ２に移動させる連動駆動手段を構成して成る点にある。
【０００９】
また、本発明が第２の手段として構成したところは、天板の長手方向Ｘと短手方向Ｙに関し、長手方向Ｘの両端部の妻側縁部に位置して、脚体を下向きに垂設させた開脚姿勢Ｐ１と天板の下側に格納させた閉脚姿勢Ｐ２の間で旋回自在に枢結する枢結装置を設けた折畳み式作業台において、前記脚体を開脚姿勢Ｐ１で旋回不能にロックするロック装置と、該ロックを解除する解除操作装置が設けられており、前記枢結装置は、天板の妻側縁部の両側に固着された一対の固定板と、脚体に固着された一対の回動板により構成され、それぞれ回動板を固定板に重ねた状態で回動自在に枢結しており、前記ロック装置は、天板の下側に位置して前記短手方向Ｙに直列配置されると共にスプリングにより前記回動板に向けて軸方向に弾発付勢された一対のロッドと、開脚姿勢Ｐ１としたとき各ロッドの軸線上に位置するように前記回動板に設けられた開脚ロック孔により構成され、前記ロッドの軸方向移動に関して、ロッド先端のロック部が前記開脚ロック孔に挿入係止した位置をロック位置Ｌ１とし、ロック部が前記開脚ロック孔から退避した位置をアンロック位置Ｌ２とするように構成されており、前記解除操作装置は、天板の下側に位置して、一対のロッドの対向端部に跨るペダル手段を設けており、該ペダル手段と一対のロッドの相互に、天板の下面を上向きとした状態で前記ペダル手段を踏み込むことにより一対のロッドをスプリングに抗してアンロック位置Ｌ２に移動させる連動駆動手段を構成して成る点にある。
【００１０】
本発明の好ましい実施形態によれば、天板は、高さＨとされた両側壁を長手方向Ｘに延設し、両側壁の間で下面から突出する梁壁を長手方向Ｘに延設して成る構成において、前記ロック装置を構成するロッドは、天板の前記側壁に挿通される本体軸部と、前記梁壁に乗り上げる基軸部と、本体軸部と基軸部の間で傾斜させられた傾斜軸部を形成しており、前記解除操作装置は、前記梁壁に固設される台座金具と、該台座金具に枢着されるペダル手段により構成され、前記台座金具は、ロッドの基軸部を軸方向移動自在に挿通させる支持ブラケットと、前記支持ブラケットから天板の長手方向Ｘに隣接して配置された枢支ブラケットを備え、前記ペダル手段は、前記枢支ブラケットに回動自在に枢着された枢支片と、該枢支片の回動により前記支持ブラケットに対して進退移動する踏板を備え、該踏板に前記ロッドの傾斜軸部に当接する駆動部を設けており、前記傾斜軸部と駆動部により前記連動駆動手段を構成し、ロッドがスプリングによりロック位置Ｌ１に移動したとき傾斜軸部が駆動部を押動することにより踏板を支持ブラケットから離間させた待機位置Ｑ１に保持させ、踏板を支持ブラケットに接支する作動位置Ｑ２まで踏み込んだとき駆動部が傾斜軸部を傾斜方向に押動することによりロッドをアンロック位置Ｌ２に移動させるように構成されている。
【００１１】
この際、前記台座金具は、両側部から天板の下面に当接する脚片部を延設していることが好ましい。
【発明の効果】
【００１２】
本発明によれば、折畳み式作業台におけるロック装置に関して、ロックを解除する解除操作装置を提供することができる。そこで、解除操作装置は、脚体を折畳むためにロックを解除する場合、作業台を天地逆向きに設置した状態、つまり、天板の下面を上向きとした状態で、作業者が足により踏みつけるだけで簡単容易にロック解除が可能であり、作業性に優れている。特に、これにより、作業者は両手を自由に使用することができるので、足の踏みつけによりロックを解除すると同時に、両手を使用することにより脚体を容易に折畳むことが可能になる
【図面の簡単な説明】
【００１３】
【図１】本発明の１実施形態に係るロック装置及び解除操作装置を備えた折畳み式作業台の１例を示す斜視図である。
【図２】作業台を示しており、（Ａ）は脚体を開脚姿勢とした作業台の正面図、（Ｂ）は閉脚作業中の作業台の正面図、（Ｃ）は脚体を閉脚姿勢とした作業台の正面図である。
【図３】天板の両端部のうち、一方の妻側縁部に関して、ロック装置を分解した状態を示す斜視図である。
【図４】天板の両端部のうち、他方の妻側縁部に関して、ロック装置を分解した状態を示す斜視図である。
【図５】天板の下面を上向きとした状態で、解除操作装置を分解した状態を示す斜視図である。
【図６】解除操作装置の分解状態を拡大して示す斜視図である。
【図７】天板の下面を上向きとした状態で、解除操作装置の台座金具を梁壁に固設し、ペダル手段を枢着する前の状態を示す斜視図である。
【図８】天板の下面を上向きとした状態で、解除操作装置を組付けた状態を示す斜視図である。
【図９】解除操作装置の作用に関して、操作していないときの状態を示しており、（Ａ）は中央縦断面図、（Ｂ）はＡ−Ａ線断面図である。
【図１０】解除操作装置の作用に関して、操作したときの状態を示しており、（Ａ）は中央縦断面図、（Ｂ）はＢ−Ｂ線断面図、（Ｃ）は連動駆動手段の作用を示す断面図である。
【発明を実施するための形態】
【００１４】
以下図面に基づいて本発明の好ましい実施形態を詳述する。
【００１５】
（作業台の１例）
本発明のロック装置及び操作装置を実施するための折畳み式作業台は、建設現場等において高所作業のために使用される種々の形式のものを広く含む汎用の作業台である。その１例を図１及び２に示しているが、図例に限定されるものでないことを了解されたい。
【００１６】
図例の場合、作業台１は、天板２の長手方向Ｘと短手方向Ｙに関し、長手方向Ｘの両端部を妻側縁部３Ｌ、３Ｒとし、短手方向Ｙの両側部を桁側縁部４Ｌ、４Ｒとしており、妻側縁部３Ｌ、３Ｒに位置して、脚体５Ｌ、５Ｒを下向きに垂設させた開脚姿勢Ｐ１と天板２の下側に格納させた閉脚姿勢Ｐ２の間で旋回自在に枢結する枢結装置を設けている。
【００１７】
尚、以下の説明において、左右の妻側縁部３Ｌ、３Ｒを特に区別しない場合は、単に妻側縁部３と称する場合があり、左右の桁側縁部４Ｌ、４Ｒを特に区別しない場合は、単に桁側縁部４と称する場合がある。
【００１８】
図３及び図５に示すように、天板２は、短手方向Ｙに平行して配置された中央板２ａと両側板２ｂ、２ｂを連設しており、両側板２ｂ、２ｂは、高さＨとされた両側壁６、６により前記桁側縁部４を構成している。
【００１９】
中央板２ａは、短手方向Ｙの中央に位置して下面から突出する中央梁壁７と、該中央板２ａの両側に位置して下面から突出する中間梁壁８、８を長手方向Ｙに延設している。これらの梁壁７、８は、前記側壁６と同じ高さＨに形成されており、中央梁壁７は、断面Ｔ形に形成され、天板２の下側に帯状板部７ａが配置される。
【００２０】
天板２の長手方向Ｘの両端部には端部キャップ材９が外装され、これにより妻側縁部３が形成されている。
【００２１】
脚体５Ｌ、５Ｒは、それぞれ一対の柱脚５ａ、５ａを踏桟５ｂにより連結した多段梯子状に構成されており、柱脚５ａ、５ａの上端部を天板２の妻側縁部３の両側に旋回自在に枢結されている。尚、以下の説明において、左右の脚体５Ｌ、５Ｒを特に区別しない場合は、単に脚体５と称する場合がある。
【００２２】
（枢結装置とロック装置）
枢結装置１０は、天板２の四隅と、柱脚５ａの間に設けられている。図示実施形態の場合、図３及び図４に示すように、一方の脚体５Ｌと妻側縁部３Ｌの両側の間には、開脚ロックと閉脚ロックを可能にする枢結装置１０Ｌが設けられ、他方の脚体５Ｒと妻側縁部３Ｒの間には、開脚ロックだけを可能にする枢結装置１０Ｒが設けられており、２種類の枢結装置１０Ｌ、１０Ｒと、これに対応するロック装置１１Ｌ、１１Ｒが設けられている。
【００２３】
（開脚ロックの構成）
これらの種類の枢結装置１０Ｌ、１０Ｒとロック装置１１Ｌ、１１Ｒは、開脚ロックのための構成については、概ね共通している。従って、左右の枢結装置１０Ｌ、１０Ｒを区別しない場合は単に枢結装置１０と称し、左右のロック装置１１Ｌ、１１Ｒを区別しない場合は単にロック装置１１と称することにより、また、共通する構成部分には、図３及び図４のように同一符号で示すことにより説明する。
【００２４】
枢結装置１０は、天板２の妻側縁部３の両側に固着された一対の固定板１２と、脚体５の柱脚５ａの上端部に固着された一対の回動板１３により構成され、それぞれ回動板１３を固定板１２の外側に重ねた状態で枢軸１４により回動自在に枢結している。これにより、脚体５は、天板２に対して、開脚姿勢Ｐ１と閉脚姿勢Ｐ２の間で旋回自在に枢結されている。
【００２５】
ロック装置１１は、天板２の下側に位置して短手方向Ｙに直列配置された一対のロッド１５、１５と、脚体５が前記枢軸１４を中心として開脚姿勢Ｐ１となる位置に旋回されたとき、ロッド１５の軸線上に位置するように回動板１３に設けられた開脚ロック孔１６により構成されている。
【００２６】
ロッド１５は、天板２の中間梁壁８及び側壁６に形成された軸支孔に挿通され、軸方向移動自在に軸支されており、スプリング１７により前記回動板１３に向けて軸方向に弾発付勢されている。ロッド１５の先端部はロック部１５ａとされており、固定板１２の位置決め孔１８から挿出されたロック部１５ａが前記開脚ロック孔１６に挿入係止した位置をロック位置Ｌ１、ロック部１５ａが前記開脚ロック孔１６から退避した位置をアンロック位置Ｌ２とするように構成され、常時は、スプリング１７によりロック位置Ｌ１で弾性保持されており、後述する解除操作装置を操作することにより、スプリング１７に抗してアンロック位置Ｌ２まで移動させられる。
【００２７】
ロッド１５をアンロック位置Ｌ２として、脚体５を旋回させることにより開脚ロック孔１６を位置決め孔１８から離したとき、スプリング１７により弾発付勢されたロッド１５は、ロック部１５ａを回動板１３の内側面に弾接している。
【００２８】
従って、折畳まれた脚体５を旋回させて展開し、開脚姿勢Ｐ１としたとき、回動板１３の開脚ロック孔１６が固定板１２の位置決め孔１８に合致するや否や、ロッド１５のロック部１５ａが開脚ロック孔１６に挿入係止され、自動的に開脚ロックを行う。
【００２９】
以上の開脚ロックは、左右の枢結装置１０Ｌ、１０Ｒと、左右のロック装置１１Ｌ、１１Ｒに共通の構成であるが、左側の枢結装置１０Ｌは、脚体５Ｌを閉脚姿勢Ｐ２としたときにも、自動的に閉脚ロックを行うことができるように、回動板１３に閉脚ロック孔１９を設けている。即ち、脚体５Ｌを旋回して閉脚姿勢Ｐ２としたとき、回動板１３の閉脚ロック孔１９が位置決め孔１８に合致させられ、ロッド１５のロック部１５ａが閉脚ロック孔１９に挿入係止される。
【００３０】
従って、作業台１は、図２（Ａ）に示すように、脚体５Ｌ、５Ｒを開脚姿勢Ｐ１としたとき、両脚体５Ｌ、５Ｒが前記ロック装置１１、１１により開脚ロックされる。脚体の折畳みに際しては、図２（Ｂ）（Ｃ）に示すように、両脚体５Ｌ、５Ｒにおけるロック装置１１の開脚ロックを解除することにより、右側の脚体５Ｒを閉脚姿勢Ｐ２とした後、左側の脚体５Ｌを閉脚姿勢Ｐ２とする。右側の脚体５Ｒは閉脚ロックされないが、左側の脚体５Ｌはロッド１５のロック部１５ａにより前記閉脚ロック孔１９を介して閉脚ロックされるので、天板２の下側に脚体５Ｌ、５Ｒを折畳んだ状態で作業台１を運搬する際に、脚体５Ｌ、５Ｒが展開方向に旋回するようなことはなく、安全に運搬することができる。
【００３１】
（解除操作装置）
図５ないし図１０は、脚体５が開脚ロックされた状態から、ロック装置１１のロッド１５、１５をアンロック位置Ｌ２に移動させることによりロックを解除するための解除操作装置２０を示している。
【００３２】
解除操作装置２０による開脚ロックの解除を可能にするため、図５ないし図８に示すように、ロック装置１１を構成するロッド１５は、前記先端のロック部１５ａを含んで天板２の側壁６及び中間梁壁８の軸支孔に挿通される本体軸部１５ｂと、中央梁壁７の帯状板部７ａに乗り上げる基軸部１５ｃと、本体軸部１５ｂと基軸部１５ｃの間で傾斜させられた傾斜軸部１５ｄを形成している。
【００３３】
解除操作装置２０は、天板２の下側に位置して、一対のロッド１５、１５の対向配置された基軸部１５ｃ、１５ｃの両方に跨るペダル手段２１と、該ペダル手段２１を取付けるための台座金具２２により構成されている。
【００３４】
台座金具２２は、金属板の折曲により形成されており、前記中央梁壁８の帯状板部７ａに重ね合わせた状態でリベット等により固着される基板部２３と、ロッドの基軸部１５ｃ、１５ｃを軸方向移動自在に挿通させる支持ブラケット２４、２４と、該支持ブラケット２４から天板の長手方向Ｘに隣接する位置（図示実施形態の場合は妻側縁部３の反対側で支持ブラケットに隣接する位置）に配置された枢支ブラケット２５を備えている。
【００３５】
更に、図示の構成において、台座金具２２は、前記基板部２３の両側から天板２の下面に当接する脚片部２６を延設している。従って、基板部２３を帯状板部７ａに重ね合わせてリベット等により固着した状態において、天板２（中央板２ａ）の下面に接支した脚片部２６により、基板部２３の両側が強固に支持される。
【００３６】
図示実施形態の場合、台座金具２２を帯状板部ａに取付固定した状態で、ロッド１５の基軸部１５ｃが支持ブラケット２４の軸孔に挿通され、該基軸部１５ｃに設けられたスプリング受部２７と支持ブラケット２４の間にスプリング１７が介装される。スプリング１７は、圧縮コイルスプリングから成り、基軸部１５ｃに外挿されることにより、ロッド１５をロック位置Ｌ１に向けて弾発付勢している。
【００３７】
前記ペダル手段２１は、金属板の折曲により形成されており、前記枢支ブラケット２５に枢軸２８を介して回動自在に枢着される枢支片２９と、該枢支片２９の回動により前記支持ブラケット２４に対して進退移動する踏板３０を備えており、該踏板３０の両側から折曲されることにより前記ロッドの傾斜軸部１５ｄに当接する駆動部３１を延設している。図例の場合、駆動部３１は、踏板３０から折曲された金属板の延長端部をＵ形に折返して重合することにより、駆動部３１の先端縁部に曲面３１ａを形成している。
【００３８】
図８ないし図１０に示すように、ペダル手段２１は、枢支片２９を枢支ブラケット２５に枢着された状態で、踏板３０が一対の支持ブラケット２４、２４と基軸部１５ｃ、１５ｃに被せられ、駆動部３１、３１を傾斜軸部１５ｄ、１５ｄに当接させている。
【００３９】
そこで、ペダル手段２１は、ロッド１５、１５がスプリング１７によりロック位置Ｌ１に移動されているときは、駆動部３１、３１が傾斜軸部１５ｄ、１５ｄの押動を受けることにより、図８及び図９に示すように、踏板３０を支持ブラケット２４、２４から離間させた待機位置Ｑ１に位置して保持されている。この状態で、踏板３０は、図８に示すように、先端に向けて角度θを有する傾斜姿勢を保持している。尚、図示省略しているが、待機位置Ｑ１から角度θを増す方向にペダル手段２１の回動を阻止するストッパ手段を設けることが好ましい。
【００４０】
解除操作装置２０は、作業台１を天地逆向きに設置した状態、つまり、天板２の下面を上向きとした状態で、作業者が足裏（靴底）でペダル手段２１を踏みつけることにより、開脚ロックを解除させることを目的として構成されている。
【００４１】
従って、作業者が足裏（靴底）で踏みつけるだけで、開脚姿勢Ｐ１とされた脚体５を開脚ロックしているロック装置１１を簡単容易にロック解除することができ、この際、作業者は両手を自由に使用することができるので、踏みつけによるロックを解除と同時に、両手を使用することにより脚体５を閉脚姿勢Ｐ２とするように容易に折畳むことができる。
【００４２】
尚、上述のように、一方の脚体５Ｌに関して、閉脚ロック孔１９による閉脚ロック装置を構成した図示実施形態の場合、解除操作装置２０は、該脚体５Ｌ閉脚姿勢Ｐ２とした状態で閉脚ロック孔１９に挿入係止されたロッド１５を閉脚ロック解除させるためにも使用することが可能とされている。
【００４３】
作業者が待機位置Ｑ１に保持されたペダル手段２１の踏板３０を踏みつけると、踏板３０は、枢軸２８の軸廻りで前記角度θを減じる方向に回動し、図１０に示すように、踏板３０が支持ブラケット２４、２４に接支させられた位置を作動位置Ｑ２として停止する。つまり、支持ブラケット２４が踏板３０を作動位置Ｑ２で停止させるストッパ２４ａを構成している。このように踏板３０が待機位置Ｑ１から作動位置Ｑ２まで回動する間、駆動部３１が傾斜軸部１５ｄの傾斜に沿って摺動しながら押動し、これにより、ロッド１５をロック位置Ｌ１からアンロック位置Ｌ２まで移動させる。従って、ロッド１５のロック部１５ａが開脚ロック孔１６から退避され、開脚ロックが解除される。
【００４４】
より具体的には、図１０（Ｃ）に示すように、ロッド１５の基軸部１５ｃの軸線Ａ１から、本体軸部１５ｂの軸線Ａ２に向けて、駆動部３１が移動させられ、曲面３１ａを傾斜軸部１５ｄの傾斜に沿ってスムースに摺動するので、該傾斜軸部１５ｄが押動され、スプリング１７に抗してロッド１５をアンロック位置Ｌ２に向けて好適に移動させる。
【００４５】
作業者の足裏による踏力を受けるペダル手段２１は、台座金具２２が脚片部２６、２６により天板２の下面に強固に支持されているので、帯板部７ａと共に中央梁壁７がアルミニウム素材により薄肉板状に形成されている場合でも、該アルミニウム素材の変形を招来するようなことはなく、強い踏力に耐え、安定した取付固定状態を保持する。
【００４６】
ペダル手段２１は、作業者の踏力から解放されると、スプリング１７によりロック位置Ｌ１に向けて移動するロッド１５の傾斜軸部１５ｄにより駆動部３１が押動され、該傾斜軸部１５ｄの傾斜に沿って移動しつつ回動させられ、待機位置Ｑ１に復帰する。
【００４７】
このように、踏板３０の駆動部３１と、ロッド１５の傾斜軸部１５ｄにより、連動駆動手段３２が構成されており、このような連動駆動手段３２により、ペダル手段２１の踏板３０を待機位置Ｑ１から作動位置Ｑ２まで踏み込んだとき、ロッド１５がロック位置Ｌ１からアンロック位置Ｌ２まで移動させられ、踏み込み力を解放したとき、ロッド１５がスプリング１７によりアンロック位置Ｌ２からロック位置Ｌ１に移動すると共に踏板３０を作動位置Ｑ２から待機位置Ｑ１まで回動復帰させることができるように構成されている。
【００４８】
図示実施形態の場合、短手方向Ｙに直列配置された一対のロッド１５、１５と、妻側縁部３の両側と２本の柱脚５ａ、５ａに設けられた一対の枢結装置１０、１０の開脚ロック孔１６により、短手方向Ｙの両側にロック装置１１、１１を構成し、解除操作装置２０における１つのペダル手段２１により、一対のロッド１５、１５を同時にロック解除させる構成としたものを示したが、このような構成に限定されるものではない。脚体５は、２本の柱脚５ａ、５ａを一体とした梯子状に形成されているので、例えば、一対のロッドのうち一方の１本のロッド１５により短手方向Ｙの片側に位置する柱脚５ａの枢結装置１０に関してだけロック装置１１を構成し、該ロック装置１１を解除操作装置２０によりロック解除させるように構成したものとしても良い。
【符号の説明】
【００４９】
１  作業台
２  天板
２ａ  中央板
２ｂ、２ｂ  両側板
３、３Ｌ、３Ｒ  妻側縁部
４、４Ｌ、４Ｒ  桁側縁部
５、５Ｌ、５Ｒ  脚体
５ａ  柱脚
５ｂ  踏桟
６、６  両側壁
７  中央梁壁
７ａ  帯状板部
８  中間梁壁
９  端部キャップ材
１０、１０Ｌ、１０Ｒ  枢結装置
１１、１１Ｌ、１１Ｒ  ロック装置
１２  固定板
１３  回動板
１４  枢軸
１５  ロッド
１５ａ  ロック部
１５ｂ  本体軸部
１５ｃ  基軸部
１５ｄ  傾斜軸部
１６  開脚ロック孔
１７  スプリング
１８  位置決め孔
１９  閉脚ロック孔
２０  解除操作装置
２１  ペダル手段
２２  台座金具
２３  基板部
２４  支持ブラケット
２４ａ  ストッパ
２５  枢支ブラケット
２６  脚片部
２７  スプリング受部
２８  枢軸
２９  枢支片
３０  踏板
３１  駆動部
３１ａ  曲面
３２  連動駆動手段
【図１】
2020193472.tif 000003
【図２】
2020193472.tif 000004
【図３】
2020193472.tif 000005
【図４】
2020193472.tif 000006
【図５】
2020193472.tif 000007
【図６】
2020193472.tif 000008
【図７】
2020193472.tif 000009
【図８】
2020193472.tif 000010
【図９】
2020193472.tif 000011
【図１０】
2020193472.tif 000012